(57)【要約】【課題】受皿部の底面部に対して防水塗料を塗布するときに、その底面部の所定の領域にまで的確に塗布して所定の塗布寸法を確保でき、またその塗膜の剥がれを長期に渡って防止して良好な防水性を得ることができる雨水排水用のルーフドレインを提供する。【解決手段】露天のスラブ９のコーナー部に据え付けられる断面ほぼＬ形状の受皿部２を有し、スラブ９から受皿部２に渡って塗膜防水による防水層が施工される雨水排水用のルーフドレインにおいて、受皿部２は底面部４と直立部５とで断面ほぼＬ形状をなし、底面部４の表面には受皿部２の外縁から所定の距離だけ離れた位置に凹部８を形成し、塗膜防水を施工する際の防水塗料（ウレタン１１）をスラブ９から凹部８内の位置にまで塗布してその防水塗料を凹部８内に充満させる。凹部８は受皿部２の外縁に沿うコ字状に延びるように形成されている。【選択図】    図１
2008127764.tif 000002
【特許請求の範囲】
【請求項１】
露天のスラブのコーナー部に据え付けられる断面ほぼＬ形状の受皿部を有し、前記スラブから前記受皿部に渡って塗膜防水による防水層が施工される雨水排水用のルーフドレインにおいて、
前記受皿部は底面部と直立部とで断面ほぼＬ形状をなし、前記底面部の表面には受皿部の外縁から所定の距離だけ離れた位置に凹部が形成され、前記塗膜防水を施工する際の防水塗料がスラブから前記凹部内の位置にまで塗布されることを特徴とするルーフドレイン。
【請求項２】
前記凹部は受皿部の外縁に沿うコ字状に延びるように形成されていることを特徴とする請求項１に記載のルーフドレイン。
【発明の詳細な説明】
【技術分野】
【０００１】
この発明は、雨水などを排水するためにコンクリート建屋の屋上面やベランダ、バルコニーなどの露天のスラブのコーナー部に据え付けられるルーフドレインに関する。
【背景技術】
【０００２】
コンクリート建屋の屋上面やベランダ、バルコニーなどの露天のスラブのコーナー部には、雨水排水用のいわゆる横引きタイプのルールドレインが据え付けられる。この種のルーフドレインは、例えば特開２００６−１４４３７７公報などに見られるように、断面ほぼＬ形状の受皿部と、この受皿部の背面に一体に形成された排水口部とを有し、受皿部から排水口部を通して雨水が排水される。
【０００３】
受皿部は底面部と直立部とから断面ほぼＬ形状をなし、底面部がスラブの床部表面に沿い、直立部がスラブの側壁表面に沿うようにスラブのコーナー部に据え付けられる。そしてスラブの側壁を貫通して排水口部に排水管が接続され、この排水管を通して雨水が所定の廃棄部に廃棄される。
【０００４】
スラブの表面には防水層が施工される。防水層としては、シート防水や塗膜防水があり、塗膜防水の場合には、スラブの全体からルーフドレインの受皿部の一部に渡ってウレタンなどの防水塗料が一様に塗布され、その塗膜によりスラブへの雨水の浸透が防止される。
【特許文献１】特開２００６−１４４３７７公報
【発明の開示】
【発明が解決しようとする課題】
【０００５】
塗膜防水の場合、防水塗料はルーフドレインの受皿部の外縁からその内側の所定の寸法の領域にまで塗布することが必要である。ところが実際の施工に当っては、防水塗料を受皿部のどの辺の領域まで塗布すればよいかが分からず、往々にして塗布寸法が不足してしまうことがある。
【０００６】
受皿部の直立部においては、塗布寸法が多少不足してもその部分が垂直面で雨水の流通がごく僅かであるから特に問題はないが、底面部においては雨水が多量に流通し、また滞留するため塗布寸法が不足すると、底面部と塗膜との間に雨水が浸透してスラブの表面にまで達してしまい、所定の防水性が得られなくなる恐れがある。
【０００７】
また、防水塗料の塗膜は、一般に厚さが１〜２ｍｍ以下と薄く、このため受皿部の上に単に塗布しただけでは、経年変化などによりその塗膜の縁部が剥がれ、受皿部の底面部ではその塗膜の剥がれで雨水が浸透してスラブの表面にまで達し、所定の防水性が得られなくなる恐れがある。
【０００８】
この発明はこのような点に着目してなされたもので、その目的とするところは、受皿部の底面部に対して防水塗料を塗布するときに、その底面部の所定の領域にまで的確に塗布して所定の塗布寸法を確保でき、またその塗膜の剥がれを長期に渡って防止して良好な防水性を得ることができるルーフドレインを提供することにある。
【課題を解決するための手段】
【０００９】
この発明は、露天のスラブのコーナー部に据え付けられる断面ほぼＬ形状の受皿部を有し、前記スラブから前記受皿部に渡って塗膜防水による防水層が施工される雨水排水用のルーフドレインにおいて、前記受皿部は底面部と直立部とで断面ほぼＬ形状をなし、前記底面部の表面には受皿部の外縁から所定の距離だけ離れた位置に凹部が形成され、前記塗膜防水を施工する際の防水塗料がスラブから前記凹部内の位置にまで塗布されることを特徴としている。前記凹部は、受皿部の外縁に沿うコ字状に延びるように形成される。
【発明の効果】
【００１０】
この発明のルーフドレインによれば、受皿部の底面部に対して防水塗料を塗布するときに、その底面部の所定の領域にまで的確に塗布して所定の塗布寸法を確保でき、またその塗膜の剥がれを長期に渡って防止して良好な防水性を得ることができる。
【発明を実施するための最良の形態】
【００１１】
以下、この発明の実施の形態について図面を参照して説明する。
【００１２】
図１にはこの発明の一実施形態に係るルーフドレインの断面図を、図２には同じく平面図を、図３には同じく正面図を示してある。
【００１３】
このルーフドレイン１は受皿部２を有し、この受皿部２の背面に一体に排水口部３が形成されている。受皿部２は底面部４と直立部５とから断面ほぼＬ形状をなし、排水口部３は円筒状をなし、受皿部２の内側が排水口部３に通じている。
【００１４】
受皿部２は、外縁の堰堤部６と、その内側の窪み部７とからなり、堰堤部６から窪み部７に雨水が流れ込み、排水口部３を通して排水されるようになっている。受皿部２における底面部４の窪み部７の表面には、受皿部２の外縁から所定の距離だけ離れた位置に溝状の凹部８が形成されている。この凹部８は例えば断面がほぼ台形状をなし、受皿部２の外縁に沿うコ字状に屈曲して延びるように形成されている。図２においては、凹部８の領域を明確にするためにその領域に斜線を施してある。
【００１５】
このルーフドレイン１は、図１に示すように、例えば建屋の屋上スラブ９のコーナー部に据え付けて使用される。この据え付けに当っては、受皿部２の底面部４の堰堤部６がスラブ９の床部表面９ａと面一となり、受皿部２の直立部５の堰堤部６がスラブ９の側壁表面９ｂと面一となるように施工する。そして、排水口部３に排水管１０をねじ込んで接続する。
【００１６】
ルーフドレイン１の据え付け後には塗膜防水の施工を行なう。この施工に当っては、防水塗料として例えばウレタン１１を用いる。この防水塗料としてのウレタン１１は主剤と硬化剤とからなる２液性タイプで、その主剤と硬化剤とを混合攪拌してスラブ９の表面の全体からルーフドレイン１の受皿部２の所定の領域に渡って一様に塗布する。
【００１７】
すなわち、受皿部２の底面部４においては、図１に示すように受皿部２の外縁から凹部８に達するＬの寸法部分にまでウレタン１１を塗布し、その凹部８内にウレタン１１を充満させる。受皿部２の直立部５においても受皿部２の外縁からその内側に達する部分にまでウレタン１１を塗布する。
【００１８】
このように、スラブ９からルーフドレイン１の一部に渡ってウレタン１１を塗布した後には、自然乾燥によりウレタン１１を硬化させる。そしてその硬化したウレタン１１の塗膜が防水層となる。なお、防止層の施工後には、受皿部２の前面に例えばＬ形に屈曲する目皿状のストレーナ（図示せず）を取り付ける。
【００１９】
ウレタン１１をルーフドレイン１の上に塗布する実際の作業の際には、底面部４に凹部８が形成されているからその凹部８を目印としてウレタン１１を塗布すべき領域を明確に判断でき、したがって所要の塗布寸法Ｌを確保して塗布することができる。
【００２０】
このため、特に雨水の流通量が多く、また滞留しやすい受皿部２の底面部４における防水性を良好に保持することができる。そして、ウレタン１１による塗膜の縁は凹部８に充満した部分となるが、この部分ではウレタン１１が凹部８内に食い込んで強固に接着する状態にある。つまり、ウレタン１１が凹部８に充満することでその接触面積が増し、その分接着力が高まる。このため塗膜の縁の剥がれを長期に渡って防止でき、その剥がれによる防水効果の低下を抑えて高い防水性を得ることができる。
【００２１】
なお、塗膜防水に用いる防水塗料としては、ウレタンを用いる場合のほか、例えばアクリル系防水塗料、ゴムアスファルト系防水塗料、アクリルエマルション防水塗料などを用いることも可能である。
【図面の簡単な説明】
【００２２】
【図１】この発明の一実施形態に係るルーフドレインの断面図。
【図２】同じく平面図。
【図３】同じく一部破断の正面図。
【符号の説明】
【００２３】
１…ルーフドレイン
２…受皿部
３…排水口部
４…底面部
５…直立部
６…堰堤部
７…窪み部
８…凹部
９…スラブ
９ａ…床部表面
９ｂ…側壁表面
１０…排水管
１１…ウレタン（防水塗料）
【図１】
2008127764.tif 000003
【図２】
2008127764.tif 000004
【図３】
2008127764.tif 000005